(57)【要約】【課題】本発明は、ユーザが簡単な操作で電話番号＋オフランプゲートのドメイン名を指定することが可能となり、かつ同じオフランプゲートを経由する場合オフランプゲートを経由する各宛先に登録する必要がなくなる。【解決手段】本発明のインターネットファクシミリ装置は、オフランプゲート宛先のドメイン名を登録する操作部と、操作部により登録したオフランプゲート宛先のドメイン名を記憶する宛先記録部とを有している。そして、送信時に電話番号が入力されるとインターネット経由で送信するか否かを選択させ、インターネット経由でのファクシミリ送信が選択された場合予め登録されたオフランプゲート宛先を指定し、オフランプゲート宛先のドメイン名に電話番号情報を付加してインターネットへのメール形式のファクシミリ送信を行う。【選択図】        図１
2004241870.tif 000002
【特許請求の範囲】
【請求項１】
公衆回線網にファクシミリ送信可能で、かつインターネットにメール形式のファクシミリ送信するインターネットファクシミリ装置において、
オフランプゲート宛先のドメイン名を登録する操作部と、
該操作部により登録したオフランプゲート宛先のドメイン名を記憶する宛先記録部とを有し、
送信時に電話番号が入力されるとインターネット経由で送信するか否かを選択させ、インターネット経由でのファクシミリ送信が選択された場合予め登録されたオフランプゲート宛先を指定し、オフランプゲート宛先のドメイン名に電話番号情報を付加してインターネットへのメール形式のファクシミリ送信を行うことを特徴とするインターネットファクシミリ装置。
【請求項２】
公衆回線網にファクシミリ送信可能で、かつインターネットにメール形式のファクシミリ送信するインターネットファクシミリ装置において、
オフランプゲート宛先のドメイン名とオフランプゲートする電話番号の市外局番を登録する操作部と、
該操作部により登録したオフランプゲート宛先のドメイン名と電話番号の市外局番を記憶する宛先記録部とを有し、
送信時に電話番号が入力されると電話番号の市外局番と予め登録されたオフランプゲート宛先の市外局番が一致するかを判断し、一致する場合はオフランプゲート宛先のドメイン名に電話番号情報を付加してインターネットへのメール形式のファクシミリ送信を行うことを特徴とするインターネットファクシミリ装置。
【請求項３】
直接送信時は市外局番の一致するかの判断せず、常に公衆回線網で送信する請求項２記載のインターネットファクシミリ装置。
【請求項４】
インターネット送信時に電話番号＋オフランプゲートのドメイン名が入力されたが直接送信が選択された場合、電話番号＋オフランプゲートのドメイン名から電話番号だけを取り出して公衆回線網へファクシミリ送信を行う請求項１又は２に記載のインターネットファクシミリ装置。
【請求項５】
インターネット送信時に電話番号＋オフランプゲートのドメイン名が入力されたが送信モードが小さい字より詳細な線密度が選択されたか、あるいは送信原稿が所定の幅より広い原稿幅の場合は電話番号＋オフランプゲートのドメイン名から電話番号だけを取り出して公衆回線網へファクシミリ送信を行う請求項１又は２に記載のインターネットファクシミリ装置。
【発明の詳細な説明】
【０００１】
【発明の属する技術分野】
本発明はインターネットファクシミリ装置に関し、詳細には公衆回線網にファクシミリ送信を行うことができ、かつインターネットにメール形式のファクシミリ送信することができるインターネットファクシミリ装置に関する。
【０００２】
【従来の技術】
【特許文献１】特開２０００−２８７００８号公報
従来、所定の回線交換ネットワーク及び所定のコンピュータネットワークのそれぞれを介してファクシミリ送信を行うことが可能なファクシミリ装置についていくつか提案されている。その一つとしての上記特許文献１に記載のファクシミリ装置によれば、配信タイミングの到来が検出されたことに応じて記憶されたファクシミリデータを当該ファクシミリデータに関して管理されている送信先端末へと送信し、当該ファクシミリデータの回線交換ネットワークを介しての送信を予め設定された送信タイミングで行っている。よって、送信タイミングを回線交換ネットワークの使用料の単価の安い時間帯に設定するなどすれば、ファクシミリ転送を行う場合における通信コストを低減できる。
【０００３】
【発明が解決しようとする課題】
しかしながら、上記特許文献１では電話番号で送信スタートされると通信料金によらず公衆回線網でファクシミリ送信していた。また、オフランプゲート経由で送信する場合、オフランプゲートのドメイン名を知っている必要があった。更に、同じオフランプゲートを経由する場合、オフランプゲートのドメイン名を経由する各宛先に登録する必要があった。
【０００４】
本発明はこれらの問題点を解決するためのものであり、ユーザが簡単な操作で電話番号＋オフランプゲートのドメイン名を指定することが可能となり、かつ同じオフランプゲートを経由する場合オフランプゲートを経由する各宛先に登録する必要がなくなるインターネットファクシミリ装置を提供することを目的とする。
【０００５】
【課題を解決するための手段】
前記問題点を解決するために、本発明のインターネットファクシミリ装置は、公衆回線網にファクシミリ送信可能で、かつインターネットにメール形式のファクシミリ送信が可能である。また、本発明のインターネットファクシミリ装置は、オフランプゲート宛先のドメイン名を登録する操作部と、操作部により登録したオフランプゲート宛先のドメイン名を記憶する宛先記録部とを有している。そして、送信時に電話番号が入力されるとインターネット経由で送信するか否かを選択させ、インターネット経由でのファクシミリ送信が選択された場合予め登録されたオフランプゲート宛先を指定し、オフランプゲート宛先のドメイン名に電話番号情報を付加してインターネットへのメール形式のファクシミリ送信を行う。よって、ユーザが簡単に電話番号＋オフランプゲートのドメイン名を指定することが可能となると共に、同じオフランプゲートを経由する場合、オフランプを経由する各宛先に登録登する必要がなくなる。
【０００６】
また、本発明のインターネットファクシミリ装置は、オフランプゲート宛先のドメイン名とオフランプゲートする電話番号の市外局番を登録する操作部と、操作部により登録したオフランプゲート宛先のドメイン名と電話番号の市外局番を記憶する宛先記録部とを有している。そして、送信時に電話番号が入力されると電話番号の市外局番と予め登録されたオフランプゲート宛先の市外局番が一致するかを判断し、一致する場合はオフランプゲート宛先のドメイン名に電話番号情報を付加してインターネットへのメール形式のファクシミリ送信を行う。よって、市外局番の一致により自動的にオフランプゲートのドメイン名を付加することにより操作が簡単になる。
【０００７】
更に、直接送信時は市外局番の一致するかの判断せず、常に公衆回線網で送信することにより、直接送信する場合は送信結果をリアルタイムで確認したい要求を優先させてオフランプゲートを経由しないようにすることができる。
【０００８】
また、インターネット送信時に電話番号＋オフランプゲートのドメイン名が入力されたが直接送信が選択された場合、電話番号＋オフランプゲートのドメイン名から電話番号だけを取り出して公衆回線網へファクシミリ送信を行う。よって、電話番号＋オフランプゲートのドメイン名が登録された場合でも直接送信ができ、ユーザに宛先のオフランプゲートのドメイン名を削除させる操作が必要なくなる。
【０００９】
更に、インターネット送信時に電話番号＋オフランプゲートのドメイン名が入力されたが送信モードが小さい字より詳細な線密度が選択されたか、あるいは送信原稿が所定の幅より広い原稿幅の場合は電話番号＋オフランプゲートのドメイン名から電話番号だけを取り出して公衆回線網へファクシミリ送信を行う。よって、精細な読取モード、あるいは所定の幅より広い原稿幅の場合ユーザが希望する画像を届けることができる。
【００１０】
【発明の実施の形態】
本発明のインターネットファクシミリ装置は、送信時に電話番号が入力されるとインターネット経由で送信するか否かを選択させ、インターネット経由でのファクシミリ送信が選択された場合予め登録されたオフランプゲート宛先を指定し、オフランプゲート宛先のドメイン名に電話番号情報を付加してインターネットへのメール形式のファクシミリ送信を行う。
【００１１】
【実施例】
図１は本発明の一実施例に係るインターネットファクシミリ装置の構成を示すブロック図である。同図において、本実施例のインターネットファクシミリ装置１００は、システム制御部１０１、システムメモリ部１０２、読取部１０３、印刷部１０４、文書蓄積部１０５、通信制御部１０６、操作表示部１０７、メール制御部１０８及びネットワーク制御部１０９を含んで構成され、各構成要素はシステムバス１１０を介してそれぞれ接続されている。また、システム制御部１０１は、システム全体を監視制御するものである。システムメモリ部１０２は、装置に予め登録される情報や通信に必要なデータを一時格納するものである。読取部１０３は、原稿を読み取るものである。印刷部１０４は、記録紙に画像を出力するものである。文書蓄積部１０５は、読取部１０３より読み取った原稿や、受信した文書、メール受信文書を格納するものである。通信制御部１０６は、Ｇ３／Ｇ４ファクシミリ通信制御、画情報の圧縮再生制御、モデム制御、ＮＣＵ制御などを行うものである。操作表示部１０７は、キー、ＬＥＤ、ＬＣＤ等を設けてユーザの指示入力を受け付け、またユーザに対して報知すべき各種の情報を表示するものである。メール制御部１０８は、メールを作成したり、送信文書を添付文書として作成したりするものである。ネットワーク制御部１０９は、ＬＡＮへの接続を行うものである。
【００１２】
次に、本実施例のインターネットファクシミリ装置を用いたシステムの概略図を示す図２に基づいてシステム概略について説明する。図２において、ＦＡＸ２０１は、本実施例のインターネットファクシミリ装置で、公衆回線網２０４でのファクシミリ送信とインターネット２０５を経由したファクシミリ送信が可能な装置である。また、ＦＡＸ２０２は、オフラインゲート可能なファクシミリ装置であり、ＦＡＸ２０１より指定したメール宛先（受信者）から自端末のドメイン名を削除して転送する電話番号を取り出し、メール受信した添付ファイルを公衆回線網２０４を使用してファクシミリ送信することが可能である。また、ＦＡＸ２０３は、公衆回線網２０４での通信可能なファクシミリ装置である。同図において、ＦＡＸ２０１よりＦＡＸ２０３へのファクシミリ送信をオフランプゲート可能なＦＡＸ２０２を使用して送信することにより、公衆回線網２０４で遠距離通信の部分をインターネット送信し、近距離部分のＦＡＸ２０２からＦＡＸ２０３とすることで公衆回線網２０４の通信費を削減できる。また、逆にオフランプゲート経由の送信が選択されたがユーザの要求を実現するためには公衆回線網２０４を利用した方がよい場合、自動的に公衆回線網２０４でのファクシミリ送信を行う。
【００１３】
次に、本実施例のインターネットファクシミリ装置の操作について操作フローを示す図３に従って説明する。また、図４はオフランプゲート宛先登録操作を示すフローチャートである。
はじめに、後述する図４に示すようなオフランプゲート宛先登録操作に従い予めオフランプゲート宛先を登録しておく。なお、登録内容は名称、ドメイン名である。次に、図３において電話番号を選択してスタートキーを押下すると（ステップＳ１０１）、電話番号についてインターネット経由でファクシミリ送信するか否かを確認する画面が表示される（ステップＳ１０２）。この画面でインターネット経由のファクシミリ送信を選択すると（ステップＳ１０２；ＹＥＳ）、更に予め登録されているオフランプゲート宛先名とドメイン名が表示される（ステップＳ１０３）。ここで電話番号の宛先へ送信するのに適しているオフランプゲート宛先を選択してスタートキーを押下すると（ステップＳ１０４）、原稿蓄積を開始して、インターネットへのファクシミリ送信を開始する（ステップＳ１０５）。
【００１４】
このようなインターネットへのファクシミリ送信では、図５のようにＳＴＭＰサーバーへ指示するメール宛先（受信者）として、ＲＣＰＴ  ＴＯ：ｆａｘ＝電話番号＋オフランプゲートのドメイン名を指定してファクシミリ画像を添付ファイルとして送信することで処理を完了する（図２のパス▲１▼）。オフランプゲート宛先のファクシミリ装置（図２のＦＡＸ２０２）では、ＳＭＴＰ受信を行い、ＲＣＰＴ  ＴＯの中身を解析し、ｆａｘ＝がある場合、＠までの番号を電話番号として取り出し、受信した添付ファイルを電話番号のファクシミリ装置（図２のＦＡＸ２０３）へ転送する（図２のパス▲２▼）。
【００１５】
ここで、上述した本実施例のインターネットファクシミリ装置のオフランプゲート宛先登録操作について操作フローを示す図４に従って説明する。図４において、予めオフランプゲート宛先を登録するときは、名称を登録し（ステップＳ２０１）、そしてドメイン名を登録する（ステップＳ２０２）。更に、オフランプゲート宛先を経由する市外局番を登録する（ステップＳ２０３）。次に、送信操作であるがユーザが本実施例のインターネットファクシミリ装置より電話番号を選択してスタートキーを押下すると、電話番号の市外局番を判断して、該登録されたオフランプゲート宛先の市外局番と一致するものがあるかチェックし、一致するものがあればインターネット経由でメール宛先（受信局）を電話番号＋オフランプゲートのドメイン名として送信する。また、市外局番が一致するものがない場合は公衆回線網でのファクシミリ送信を行う。更に、直接送信が選択された場合は市外局番の判断を行わずに通常の公衆回線網からのファクシミリ送信を行う。また、電話番号＋オフランプゲートのドメイン名が指定され、直接送信が選択された場合、送信できない旨を表示して宛先変更を促すのではなく、ユーザが入力した電話番号＋オフランプゲートのドメイン名から電話番号だけを抜き出し、この電話番号に公衆回線網へファクシミリ送信することでユーザの要求する直接送信を実現する（図２のパス▲３▼）。更に、電話番号＋オフランプゲートのドメイン名が指定された場合、精細な読み取りモード、または所定の幅例えばＡ４よりも広い幅の原稿が設定された場合が、インターネットでファクシミリ送信すると小さい字、または例えばＡ４固定となるため、ユーザが希望する送信画像では送れないので、入力した電話番号＋オフランプゲートのドメイン名から電話番号だけを抜き出し、この電話番号に公衆回線網へファクシミリ送信することでユーザの希望する送信画像を実現する（図２のパス▲３▼）。
【００１６】
なお、本発明は上記実施例に限定されるものではなく、特許請求の範囲内の記載であれば多種の変形や置換可能であることは言うまでもない。
【００１７】
【発明の効果】
以上説明したように、本発明のインターネットファクシミリ装置は、公衆回線網にファクシミリ送信可能で、かつインターネットにメール形式のファクシミリ送信が可能である。また、本発明のインターネットファクシミリ装置は、オフランプゲート宛先のドメイン名を登録する操作部と、操作部により登録したオフランプゲート宛先のドメイン名を記憶する宛先記録部とを有している。そして、送信時に電話番号が入力されるとインターネット経由で送信するか否かを選択させ、インターネット経由でのファクシミリ送信が選択された場合予め登録されたオフランプゲート宛先を指定し、オフランプゲート宛先のドメイン名に電話番号情報を付加してインターネットへのメール形式のファクシミリ送信を行う。よって、ユーザが簡単に電話番号＋オフランプゲートのドメイン名を指定することが可能となると共に、同じオフランプゲートを経由する場合、オフランプを経由する各宛先に登録登する必要がなくなる。
【００１８】
また、本発明のインターネットファクシミリ装置は、オフランプゲート宛先のドメイン名とオフランプゲートする電話番号の市外局番を登録する操作部と、操作部により登録したオフランプゲート宛先のドメイン名と電話番号の市外局番を記憶する宛先記録部とを有している。そして、送信時に電話番号が入力されると電話番号の市外局番と予め登録されたオフランプゲート宛先の市外局番が一致するかを判断し、一致する場合はオフランプゲート宛先のドメイン名に電話番号情報を付加してインターネットへのメール形式のファクシミリ送信を行う。よって、市外局番の一致により自動的にオフランプゲートのドメイン名を付加することにより操作が簡単になる。
【００１９】
更に、直接送信時は市外局番の一致するかの判断せず、常に公衆回線網で送信することにより、直接送信する場合は送信結果をリアルタイムで確認したい要求を優先させてオフランプゲートを経由しないようにすることができる。
【００２０】
また、インターネット送信時に電話番号＋オフランプゲートのドメイン名が入力されたが直接送信が選択された場合、電話番号＋オフランプゲートのドメイン名から電話番号だけを取り出して公衆回線網へファクシミリ送信を行う。よって、電話番号＋オフランプゲートのドメイン名が登録された場合でも直接送信ができ、ユーザに宛先のオフランプゲートのドメイン名を削除させる操作が必要なくなる。
【００２１】
更に、インターネット送信時に電話番号＋オフランプゲートのドメイン名が入力されたが送信モードが小さい字より詳細な線密度が選択されたか、あるいは送信原稿が所定の幅より広い原稿幅の場合は電話番号＋オフランプゲートのドメイン名から電話番号だけを取り出して公衆回線網へファクシミリ送信を行う。よって、精細な読取モード、あるいは所定の幅より広い原稿幅の場合ユーザが希望する画像を届けることができる。
【図面の簡単な説明】
【図１】本発明の一実施例に係るインターネットファクシミリ装置の構成を示すブロック図である。
【図２】本実施例のインターネットファクシミリ装置を用いたシステム構成を示す概略図である。
【図３】本実施例のインターネットファクシミリ装置の操作を示すフローチャートである。
【図４】オフランプゲート宛先登録操作を示すフローチャートである。
【図５】メール宛先のサンプルを示す図である。
【符号の説明】
１００；インターネットファクシミリ装置、１０１；システム制御部、
１０２；システムメモリ部、１０３；読取部、１０４；印刷部、
１０５；文書蓄積部、１０６；通信制御部、１０７；操作表示部、
１０８；メール制御部、１０９；ネットワーク制御部、
１１０；システムバス。
【図１】
2004241870.tif 000003
【図２】
2004241870.tif 000004
【図３】
2004241870.tif 000005
【図４】
2004241870.tif 000006
【図５】
2004241870.tif 000007